(57)【要約】      （修正有）【課題】オーディオ機器に用いられる電磁波シールド材に関し、特に、音声信号に対してシールド効果が高く、且つ、汎用性が高いオーディオ機器用のシールド材を提供する。【解決手段】シールド材１は、金属糸１０を所定のギャップ幅Ｇ毎に格子状にして、金属布にしたもので、オーディオ機器に付属する電線等を被覆対象として、その金属布をチューブ状にして、中空部を形成し、その中空部に電線を通して、被覆範囲において外部との隙間が生じないように被覆する。【選択図】図１
0003167092.tif 000002
【実用新案登録請求の範囲】
【請求項１】
被覆対象のオーディオ機器を覆うシールド材であって、
シールド材は、金属糸を所定のギャップ幅にて格子状に形成したことを特徴とするオーディオ機器用電磁波シールド材。
【請求項２】
金属糸を織成してなることを特徴とする請求項１に記載のオーディオ機器用電磁波シールド材。
【請求項３】
金属糸を編成してなることを特徴とする請求項１に記載のオーディオ機器用電磁波シールド材。
【請求項４】
被覆対象のオーディオ機器を覆うシールド材であって、
シールド材は、母材を所定のギャップ幅にて格子状に形成すると共に、その母材にメッキを施したことを特徴とするオーディオ機器用電磁波シールド材。
【考案の詳細な説明】
【技術分野】
【０００１】
本考案は、オーディオ機器に用いられる電磁波シールド材に関し、特に電磁波が音声信号に与える影響を抑えることができるシールド材に関するものである。
【背景技術】
【０００２】
従来からオーディオ機器においても、電磁波の影響を受けたり、その影響を与えないようにするための技術的工夫が種々施されている。
特許文献１のオーディオ装置では、スイッチング素子のＯＮ／ＯＦＦ処理によって増幅を行うデジタルアンプ装置とスピーカーとを有し、前記スイッチング素子のＯＮ／ＯＦＦ処理により増幅されたオーディオ信号によって前記スピーカーをダイレクトに駆動するオーディオ装置であって、前記デジタルアンプ装置と前記スピーカーとの周囲を取り囲んで電磁遮蔽を行うシールド板を備えている。
この特許文献１は、オーディオ装置から外に放射される高域ノイズの輻射を防止するものであるが、特許文献２では、外部に電磁波源があり、その電磁波が内部に侵入することを防止するシールド材が開示されている。
【０００３】
即ち、特許文献２は、マイクロホンのコネクタ部分から進入しようとする高周波信号を確実に遮蔽して、マイクロホンで電気信号に変換された音声信号にノイズが乗ることを防止することができるコンデンサーマイクロホンのコネクタを提供することを目的とする。このため、小径円筒部と大径円筒部を有しシールド材からなるかしめ金具を具備し、かしめ金具の上記小径円筒部はマイクロホンケーブルの端部におけるシールド線の折り返し部の外周側に嵌められているとともにかしめられることによって上記かしめ金具がマイクロホンケーブルに結合されており、かしめ金具の上記大径円筒部はコネクタと上記マイクロホンケーブルの接続部に被せられ、かしめ金具の上記大径円筒部とコネクタハウジングが嵌まり合っている構成となっている。
【０００４】
しかし、特許文献１のシールド板は、オーディオ装置を構成するスピーカーボックスの形にアルミニウム板を成形したものであり、また特許文献２のかしめ金具は、マイクロホンのコネクタ部分にのみ使用される筒状のもので、オーディオ機器に応用するための電磁ノイズの対策として、汎用性に欠けるシールド材であった。
【０００５】
一方、特許文献１及び同２の板状のシールド材以外には、図５に示すシール材Ｓが従来からオーディオ機器に使用されていた。
このシールド材Ｓは、金属の複数のたて糸と複数のよこ糸を斜めに交わるように、且つ、隣りの糸とを密着させて金属の織地に構成されており、例えば、これを筒状にして電線等を被覆していた。
このシールド材は、特許文献１及び同２の金属板と異なり柔軟性があり、汎用性は満たすものの、音声信号に関するシールド効果としては満足の行くものではなかった。
一方、考案者は、金属糸から織編されるメッシュ状の金網をオーディオ機器用のシールド材に用いると、従来のオーディオ機器用のシールド材Ｓに比較して、音質に変化が生じることを見出した。
【先行技術文献】
【特許文献】
【０００６】
【特許文献１】特開２００７−２５９２５０号公報
【特許文献２】特開２００６−６７１６５号公報
【考案の概要】
【考案が解決しようとする課題】
【０００７】
そこで、本考案は、オーディオ機器に用いられる電磁波シールド材に関し、特に、音声信号に対してシールド効果が高く、且つ、汎用性が高いオーディオ機器用のシールド材を提供することを目的とする。
【課題を解決するための手段】
【０００８】
本考案は、被覆対象のオーディオ機器を覆うシールド材であって、そのシールド材は、金属糸を所定のギャップ幅にて格子状に形成したことを特徴とするオーディオ機器用電磁波シールド材とした（請求項１に係る考案）。
【０００９】
上記考案のオーディオ機器用電磁波シールド材は、金属糸を織成してなることを特徴とする（請求項２に記載の考案）。
【００１０】
上記考案のオーディオ機器用電磁波シールド材は、金属糸を編成してなることを特徴とする（請求項３に記載の考案）。
【００１１】
上記考案のオーディオ機器用電磁波シールド材は、母材を所定のギャップ幅にて格子状に形成すると共に、その母材にメッキを施したことを特徴とする（請求項４に記載の考案）。
【考案の効果】
【００１２】
本考案に係るオーディオ機器用電磁波シールド材によれば、音声信号が電磁波により受ける影響を抑えることができ、高域でのノイズ感が少なくなり、綺麗な音質にすることができる。
ここで、音声信号（音響信号）とは、音源から生成される電気信号であって、スピーカー等の物理振動によって音波に変換されるものである。
【図面の簡単な説明】
【００１３】
【図１】本考案に係るシールド材の拡大図、
【図２Ａ】本考案に係るシールド材の使用例を示す斜視図、
【図２Ｂ】本考案に係るシールド材の使用例を示す斜視図、
【図３】本考案に係る別例のシールド材の拡大図、
【図４Ａ】本考案に係る別例のシールド材の使用例を示す斜視図、
【図４Ｂ】本考案に係る別例のシールド材の使用例を示す斜視図、
【図５】従来例のシールド材の拡大図である。
【考案を実施するための形態】
【００１４】
本考案に係るシールド材の構成例を詳細に説明する。
シールド材１（１’）は、図１及び図３に示したように、金属糸１０を、所定のギャップ幅Ｇ（Ｇ’）毎に格子状にしたもので、オーディオ機器を被覆対象（後述）として、これを覆うものである。
【００１５】
金属糸１０を格子状に形成するためには、図１のシールド材１では、たて糸とよこ糸の各金属糸が略直角に交わるように平面的に織成し、且つ、所定のギャップ幅Ｇにて空間が形成される金属状の布とする。
金属糸１０の材質は、りん青銅、クロムメッキ処理されたステンレス等で、その線径は２８μｍ〜４０μｍであって、従って金属布の厚みも約２８μｍ〜約４０μｍに形成することができる。
前記りん青銅の金属単線を平織した場合の前記ギャップ幅Ｇは、約０．０１０〜約０．０１４ｍｍに形成する。
なお、かかる金属布１１は、電波の周波数３０ＭＨｚ〜１ＧＨｚにかけて、最大で約６０ｄＢ以上の減衰値を得ることができ、高周波に対するシールド効果が高くなっている。また、その表面抵抗値は約０．００３Ω／ｓｑとすることができる。
【００１６】
被覆対象は、オーディオ機器の匡体、そのオーディオ機器に付属する電源線、音声信号が流れる信号線（以下、単に電線とも称する）、アクセサリ等が対象となる。
被覆方法は、図２Ａのように前記金属布１１を重ねて（本図では２重）チューブ状にして、中空部を形成し、その中空部に電線２を通して、被覆範囲において外部との隙間が生じないように被覆する方法、図２Ｂのようにオーディオ機器としてのスピーカーボックス３の匡体の外側又は内側に沿って、匡体の外側又は内側の輪郭に形成した前記金属布１１を取り付けて被覆する方法がある。
【００１７】
次に、図３に基づいて、別例のシールド材１’の構成例を説明する。
このシールド材１’は、金属糸１０でループを作り、そのループに次の金属糸を引っ掛けて新しいループを作ることを編成したもので、各コースのループ毎に、且つ、各ウエルに沿って所定のギャップ幅Ｇ’の空間が作られている。
【００１８】
前記金属糸１０は、線径約０．１２ｍｍ程度の銅線、ニッケルと銅の合金のモネル線等からなり、前記ギャップ幅Ｇ’は約２ｍｍ程度のものである。
以上のようなシールド材１’の被覆対象に対する被覆方法は、図４Ａのように、チューブ状に編成或いは形成したものに電線２を挿入する方法、図４Ｂのように、テープ状に作られ、電線２の外側を巻くようにしもよい。
【００１９】
以上の本考案のシールド材によれば、次のような作用効果を奏する。
（１）  本考案のシールド材により電磁波が吸収され、減衰させる効果があるので、音声信号が電磁波により受ける影響を抑えることができ、高域でのノイズ感が少なくなり、綺麗な音質にすることができる。
これは、音声の可聴範囲より高い周波数のノイズが、音声の可聴範囲の波形に影響を与え、音質に悪影響を及ぼしていることが推測されるところ、前記シールド材によりオーディオ機器を被覆することで、電磁ノイズが減衰させられ、音質が向上するものと推測される。
（２）  本考案のシールド材は、柔軟性に富み、汎用性があるので、あらゆる形態のオーディオ機器に対応することができる。
また、その加工に際しても、金属糸を織成する場合には、金属粉の発生を抑えることができる。
（３）  本考案のシールド材は柔軟性があり、被覆対象に重ねることで、電磁波に対する遮蔽効果を高め、音質を向上させることができる。
【００２０】
以上のオーディオ機器用電磁波シールド材の他のシールド材として、母材を所定のギャップ幅にて格子状に形成すると共に、その母材にメッキを施したものでもよい。
母材としては、柔軟性のある布状の繊維、合成樹脂、合成繊維等を挙げることができる。例えば、ナイロンメッシュ、ポリエステルメッシュ等であり、ギャップ幅は、概ね６００μｍ〜１μｍのものを用いてもよい。
メッキとしては、銅メッキ、ニッケルメッキ等、母材に導電性を与えるものであればよい。
詳細な構成は、上記シールド材と同様であり、その作用効果も同様である。
【符号の説明】
【００２１】
１  １’  シールド材                    １０  金属糸
１１  金属布
２  電線
３  スピーカーボックス
Ｇ  Ｇ’  ギャップ幅
【図１】
0003167092.tif 000003
【図２Ａ】
0003167092.tif 000004
【図２Ｂ】
0003167092.tif 000005
【図３】
0003167092.tif 000006
【図４Ａ】
0003167092.tif 000007
【図４Ｂ】
0003167092.tif 000008
【図５】
0003167092.tif 000009